(57)【特許請求の範囲】
【請求項１】
免震装置設置部に設置した免震装置で免震対象構造部を支持する免震構造物の施工方法であって、
前記免震装置及びこれとは異なる箇所に設けた仮支持部とに前記免震対象構造部を支持させながら前記免震装置設置部と前記免震装置と前記免震対象構造部とを姿勢変化可能な状態で組み付ける仮設工程と、
施工の進捗に伴い前記免震対象構造部に対する前記仮支持部による仮支持力を抜いて、前記仮支持力の脱力に伴い前記免震装置設置部と前記免震装置と前記免震対象構造部とを前記免震対象構造部の自重により姿勢変化させた後、前記免震装置設置部と前記免震装置と前記免震対象構造部との姿勢を固定する本設工程とを備え、
前記仮設工程では、その後の前記本設工程で前記仮支持力の脱力に伴い生じる姿勢の変化を予測し、前記免震装置設置部と前記免震装置と前記免震対象構造部とを、前記本設工程で生じる姿勢変化方向とは逆方向に本設姿勢から設定量だけ姿勢変化させた仮設姿勢で組み付ける免震構造物の施工方法。
【請求項２】
前記仮設工程では、回転移動を許容する回転許容部と、スライド移動を許容するスライド許容部とを介在させる状態で、前記免震装置設置部と前記免震装置と前記免震対象構造部とを組み付け、
前記本設工程では、前記免震装置設置部と前記免震装置と前記免震対象構造部とを前記回転移動及び前記スライド移動しない状態に固定する請求項１記載の免震構造物の施工方法。
【発明の詳細な説明】
【技術分野】
【０００１】
本発明は、免震装置設置部に設置した免震装置で免震対象構造部を支持する免震構造物の施工方法に関する。
【背景技術】
【０００２】
この種の免震構造物の施工方法としては、免震装置設置部を構築し、その免震装置設置部に免震装置を本設し、その免震装置の上に免震対象構造部を順に構築していくことが行われている。
【０００３】
この場合、免震対象構造部が大規模屋根等の大型なものであると、免震対象構造部の構築後に免震対象構造部が自重で撓み変形し、免震対象構造部と免震装置との間に本設された免震装置にせん断変形等の変形や応力残留が生じる虞がある。本設後の免震装置に変形や応力残留が生じれば、免震装置の所期の免震性能が発揮されない不都合を招来することになる。
【０００４】
そこで、特許文献１に示すように、構築された免震装置設置部に対して滑り機構を介在させた状態で免震装置を仮設し、この仮設状態の免震装置の上に免震対象構造部を構築するとともに、構築された免震対象構造部の自重による変形に伴って滑り機構を介して免震装置が免震装置設置部の上をスライド移動した後、免震装置を免震装置設置部に本設する施工方法が提案されている。
【０００５】
この特許文献１記載の施工方法では、免震装置を本設する前に免震対象構造部の変形に伴う免震装置のスライド移動を行わせることで、本設後の免震装置に変形や応力残留が生じるのを回避することができる。
【先行技術文献】
【特許文献】
【０００６】
【特許文献１】特開２００２−３１７５７１号公報
【発明の概要】
【発明が解決しようとする課題】
【０００７】
上記従来の施工方法では、構築された免震対象構造部の変形に伴う免震装置のスライド移動によって、免震装置設置部と免震装置と免震対象構造部の三者の姿勢（組付け姿勢）が仮設時の姿勢から変更されるが、この姿勢の変更によって本設時における三者の姿勢が所定の本設姿勢からズレた姿勢となり、そのことで、免震構造物の構造バランスが不測に崩れる不都合が起こり得る。
【０００８】
この実情に鑑み、本発明の主たる課題は、本設後の免震装置に変形や応力残留が生じるのを回避しながら、免震装置設置部と免震装置と免震対象構造部の三者を所定の構造バランスで本設することができる免震構造物の施工方法を提供する点にある。
【課題を解決するための手段】
【０００９】
本発明の第１特徴構成は、免震装置設置部に設置した免震装置で免震対象構造部を支持する免震構造物の施工方法であって、
前記免震装置及びこれとは異なる箇所に設けた仮支持部とに前記免震対象構造部を支持させながら前記免震装置設置部と前記免震装置と前記免震対象構造部とを姿勢変化可能な状態で組み付ける仮設工程と、
施工の進捗に伴い前記免震対象構造部に対する前記仮支持部による仮支持力を抜いて、前記仮支持力の脱力に伴い前記免震装置設置部と前記免震装置と前記免震対象構造部とを前記免震対象構造部の自重により姿勢変化させた後、前記免震装置設置部と前記免震装置と前記免震対象構造部との姿勢を固定する本設工程とを備え、
前記仮設工程では、その後の前記本設工程で前記仮支持力の脱力に伴い生じる姿勢の変化を予測し、前記免震装置設置部と前記免震装置と前記免震対象構造部とを、前記本設工程で生じる姿勢変化方向とは逆方向に本設姿勢から設定量だけ姿勢変化させた仮設姿勢で組み付ける点にある。
【００１０】
つまり、この構成によれば、免震装置設置部と免震装置と免震対象構造部との三者を姿勢変化可能な状態で組み付ける仮設工程において、当該三者を本設工程で生じる姿勢変化方向とは逆方向に所定の本設姿勢から設定量だけ姿勢変化させた仮設姿勢で組み付けることから、この仮設工程の後、施工の進捗に伴う免震装置設置部と免震装置と免震対象構造部との組み付け姿勢の変化によって、応力を逃がしながら三者の組付け姿勢を所定の本設姿勢又はそれに近い姿勢にすることができる。
【００１１】
そして、その後、本設工程において当該三者の姿勢を固定することで、免震装置設置部と免震装置と免震対象構造部とを所定の本設姿勢又はそれに近い姿勢で本設することができる。
【００１２】
したがって、本設後の免震装置に変形や応力残留が生じるのを回避しながら、免震装置設置部と免震装置と免震対象構造部の三者を所定の構造バランスで本設することができる。
【００１４】
上記構成によれば、免震装置と仮支持部との双方の支持によって免震対象構造部の姿勢を安定させることができるので、仮設工程において免震装置設置部と免震装置と免震対象構造部とを仮設姿勢で容易に組み付けることができ、施工の効率化を図ることができる。このことは、免震対象構造部が大型である場合に特に有益である。
【００１５】
それでいて、仮支持力の脱力（例えば、ジャッキダウン）に伴い作用する応力を仮設状態の免震装置設置部と免震装置と免震対象構造部の三者の姿勢変化で逃がし、且つ、その姿勢変化で三者の組付け姿勢を所定の本設姿勢又はそれに近い姿勢にすることができるので、免震装置に変形や応力残留が生じない状態で当該三者を所定の本設姿勢又はそれに近い姿勢で本設することができる。
【００１６】
本発明の第２特徴構成は、前記仮設工程では、回転移動を許容する回転許容部と、スラ
イド移動を許容するスライド許容部とを介在させる状態で、前記免震装置設置部と前記免
震装置と前記免震対象構造部とを組み付け、
前記本設工程では、前記免震装置設置部と前記免震装置と前記免震対象構造部とを前記
回転移動及び前記スライド移動しない状態に固定する点にある。
【００１７】
上記構成によれば、施工の進捗に伴い作用する応力のうちのモーメント力（モーメント成分）を回転許容部での回転により逃がすことができるとともに、施工の進捗に伴い作用する応力のうちの水平力（水平成分）をスライド許容部でのスライドにより逃がすことができるので、免震装置に変形や応力残留が生じるのを効果的且つ効率的に回避することができる。
【００１８】
なお、前記回転許容部と前記スライド許容部は、免震装置設置部と免震装置と免震対象構造部の三者における異なる箇所に介在させる形態と同一の箇所に介在させる形態のいずれであってもよい。
【図面の簡単な説明】
【００１９】
【図１】仮設工程における免震構造物を示す側面図
【図２】仮設工程の免震構造物を示す側面拡大図（部分断面図）
【図３】免震構造物の要部を示す斜視図
【図４】免震構造物の要部を示す分解斜視図
【図５】仮設工程の免震構造物を模式的に示す平面拡大図（部分断面図）
【図６】免震構造物の姿勢変化を拡大側面図（部分断面図）
【図７】免震構造物の姿勢変化を模式的に示す平面拡大図（部分断面図）
【図８】本設工程の免震構造物の要部を示す拡大側面図（部分断面図）
【発明を実施するための形態】
【００２０】
図１は、免震装置１を備えた免震構造物の施工状況を示し、２は免震装置設置部としてのコンクリート造の柱頭部、３は免震対象構造部としての屋根用のトラス構造部、４は工事用仮設材としての油圧ジャッキ４ａを備えた仮支持部である。なお、本実施形態では、免震構造物の構造として、屋根を免震化する屋根免震を例に示すが、基礎免震や中間免震などであってもよい。
【００２１】
前記免震装置１は、図２に示すように、上下一対の金属製等の固定板１ａ、１ｂの間に複数の金属製薄板とゴム製薄板とを交互に積層接着してなる変形部１ｄを備えた積層ゴム系の免震装置からなり、例えば、底面側に定着用アンカー５ａを備えたベースプレート５を介してボルト等の固定手段１４で柱頭部２に固定されるように構成されている。
【００２２】
本発明に係る免震構造物の施工方法は、図１、図２、図５に示すように、柱頭部２と免震装置１とトラス構造部３を仮設姿勢で姿勢変化可能な状態で組み付ける「仮設工程」と、図６、図７に示すように、施工の進捗に伴い柱頭部２と免震装置１とトラス構造部３の姿勢を仮設姿勢から変化させた後、図８に示すように、柱頭部２と免震装置１とトラス構造部３の姿勢を固定する「本設工程」とを備えてなる。以下、本施工方法の具体的手順について詳述する。
【００２３】
（イ）仮設工程
この仮設工程では、図１、図２、図５に示すように、柱頭部２と免震装置１とトラス構造部３の三者の間に、スライド移動を許容するスライド許容部６と回転移動を許容する回転許容部７とを介在させる状態で、柱頭部２と免震装置１とトラス構造部３の三者を所定の仮設姿勢で組み付ける。
【００２４】
まず、仮設工程の第１手順として、柱頭部２と免震装置１との間にスライド許容部６を介在させる状態で柱頭部２の上に免震装置１を仮設する。前記スライド許容部６は、図２に示すように、免震装置１をスライド移動自在に支持する滑り機構からなり、低摩擦材製の滑り材６ａとステンレス製の滑り板６ｂとを免震装置１側と柱頭部２側とに分けて配置して構成されている。
【００２５】
このスライド許容部６を、柱頭部２と免震装置１との間に介在させるには、図２、図５に示すように、定着用アンカー５ａの移動代を有する寸法で柱頭部２の上面に形成された各被取付穴部２ａに対して免震装置１側のベースプレート５の定着用アンカー５ａを挿入配置する状態で、且つ、免震装置１側のベースプレート５の下面と柱頭部２の上面との間に滑り材６ａと滑り板６ｂとを相対向する姿勢で挟み込む状態で、免震装置１及びベースプレート５を柱頭部２の上面に載置する。
【００２６】
つまり、スライド許容部６は、柱頭部２の上面の被取付穴部２ａの内部における定着用アンカー５ａの周囲の余幅を前記移動代とする滑り材６ａと滑り板６ｂとの滑動によって、柱頭部２の上面での免震装置１のスライド移動を免震装置１の脱落を阻止した状態で許容するように構成される。
【００２７】
次に、仮設工程の第２手順として、免震装置１とトラス構造部３との間に前記回転許容部７を介在させる状態で免震装置１の上にトラス構造部３を仮設する。ここで、トラス構造部３は、免震装置１と仮支持部４とに支持させる状態で各トラス材３Ａを順次に組み付けて構築する。
【００２８】
前記回転許容部７は、図２〜図４に示すように、免震装置１側とトラス構造部３側とを回転自在に連結する回転連結機構からなり、上面に部分円筒状凹面部７ａが形成された回転座７Ａと、下面に部分円筒状凸面部７ｂが形成された回転部材７Ｂとを主要構成とし、これら回転座７Ａと回転部材７Ｂとの離脱を阻止する離脱防止具７Ｃを付加して構成されている。
【００２９】
この回転許容部７を免震装置１とトラス構造部３の間に介在させるには、回転座７Ａを免震装置１の上部側の台座部１１にボルト等の固定手段８で固定し、当該回転座７Ａに回転部材７Ｂを支持させるとともに、回転部材７Ｂをトラス構造部３の下部側の被取付部位に溶接等の固定手段（図示省略）で固定する。
【００３０】
更に、離脱防止具７Ｃの下端側に形成された係合爪７ｄを回転座７Ａの外面に形成された被係合凹部７ｅに係合させる状態で、離脱防止具７Ｃを回転部材７Ｂにボルト等の固定手段１０で取り付けることで、免震装置１とトラス構造部３との離脱を阻止する。
【００３１】
つまり、この回転許容部７は、免震装置１側の回転座７Ａとトラス構造部３側の回転部材７Ｂとの摺動によって、水平面においてトラス構造部３の長辺方向に交差する短辺方向に沿う軸心周りで、免震装置１とトラス構造部３と相対的な回転移動を許容するように構成される。
【００３２】
そして、本施工方法では、前述した第１、第２手順において、柱頭部２と免震装置１とトラス構造部３の三者の組付け姿勢を、仮支持部４の脱力に伴うトラス構造部３の自重による変形（施工の進捗に伴うトラス構造部３の変形の一例）を見越して、後に生じる変形に伴って三者の組付け姿勢が所定の本設姿勢又はそれに近い姿勢になるように設定した仮設姿勢にしておく。
【００３３】
この仮設姿勢は、仮支持部４による仮支持力を脱力したときに生じるトラス構造部３の変形に伴う柱頭部２と免震装置１とトラス構造部３の予測姿勢変化量から、スライド許容部６で生じる予測スライド量（予測変化長さ）、及び、回転許容部７で生じる予測回転量（予測変化角度）を予め算出しておき、この予測スライド量（設定量の一例）と予測回転量（設定量の一例）に基づいて設定する。
【００３４】
本実施形態では、前記仮設姿勢として、図５に示すように、免震装置１を柱頭部２の上部に対して、本設工程で生じるスライド変化方向（図中矢印Ｓ方向）とは逆方向に本設姿勢から予測スライド量ｔだけ移動させた状態で配置するとともに、図２に示すように、トラス構造部３を免震装置１に対して、本設工程で生じる角度変化方向（図中矢印Ｒ方向）とは逆方向に本設姿勢から予測回転量αだけ回転させた状態で配置する。
【００３５】
（ロ）本設工程
柱頭部２と免震装置１とトラス構造部３の仮設が完了したら、本設工程の第１手順として、仮支持部４を撤去し、トラス構造部３に対する仮支持力を脱力する。この仮支持力の脱力に伴いトラス構造部３の仮支持箇所が降下する状態でトラス構造部３が撓み変形し、このトラス構造部３の撓み変形に伴い、図４、図５に示すように、柱頭部２の上部で免震装置１が水平方向に沿ってスライド移動するとともに、図６に示すように、免震装置１の上部でトラス構造部３が回転移動する。このスライド移動と回転移動によって柱頭部２と免震装置１とトラス構造部３との三者が本設姿勢又はそれ近い姿勢に変化する。
【００３６】
柱頭部２と免震装置１とトラス構造部３との三者の姿勢変化が完了したら、本設工程の第２手順として、図８に示すように、柱頭部２の被取付穴部２ａに無収縮モルタル等の硬化性充填材１３を充填し、柱頭部２に対して免震装置１を固定するとともに、免震装置１とトラス構造部３の間における回転許容部７の周囲に複数の鋼板からなる角柱状の短柱部９を溶接等で形成して免震装置１とトラス構造部３とを固定する。以上により、柱頭部２と免震装置１とトラス構造部３の三者の本設を完了する。
【００３７】
つまり、本発明に係る免震構造物の施工方法では、本設工程で柱頭部２と免震装置１とトラス構造部３の姿勢を固定する前に、仮支持部４による仮支持力を脱力し、この脱力に伴い柱頭部２と免震装置１とトラス構造部３の姿勢を仮設姿勢から変化させるので、本設後において免震装置Ａに変形や応力残留が生じるのを回避することができる。
【００３８】
しかも、仮設工程において仮支持部４の脱力に伴うトラス構造部３の自重による変形を予め見越して仮設姿勢を設定するので、仮支持力の脱力に伴う姿勢の変化によって柱頭部２と免震装置１とトラス構造部３の三者を所定の本設姿勢又はそれに近い姿勢にすることができ、よって、本設工程において柱頭部２と免震装置１とトラス構造部３の三者を所定の構造バランスで容易に本設することができる。
【００３９】
〔その他の実施形態〕
（１）前述の実施形態では、スライド許容部６と回転許容部７とを異なる部位に介在させる状態で免震装置設置部２と免震装置１と免震対象構造部３を組み付ける場合を例に示したが、スライド許容部６と回転許容部７を同じ部位（例えば、免震装置設置部２と免震装置１との間や免震装置１と免震対象構造部３の間）に介在させる状態で免震装置設置部２と免震装置１と免震対象構造部３を組み付けるようにしてもよい。
【００４０】
（２）前述の実施形態では、免震装置設置部２と免震装置１との間にスライド許容部６を介在させ、且つ、免震装置１と免震対象構造部３の間に回転許容部７を介在させる場合を例に示したが、これとは逆に、免震装置設置部２と免震装置１との間に回転許容部７を介在させ、且つ、免震装置１と免震対象構造部３の間にスライド許容部６を介在させるようにしてもよい。
【００４１】
（３）前述の実施形態では、回転許容部７を、部分円筒状凹面部７ａが形成された回転座７Ａと部分円筒状凸面部７ｂが形成された回転部材７Ｂとから構成する場合を例に示したが、例えば、部分球面状凹面部が形成された回転座と部分球面状凸面部が形成された回転部材とから構成したり、水平方向の一端側を圧縮させることで回転を許容可能なゴム板から構成したりしてもよい。
【００４２】
（４）前述の実施形態では、本設前における施工の進捗に伴う免震装置設置部２と免震装置１と免震対象構造部３の三者の姿勢の変化として、仮支持部４による仮支持力の脱力に伴う３者の姿勢の変化を例に示したが、時間の経過に伴う三者の姿勢の変化などであってもよい。
【００４３】
（５）前述の実施形態では、仮設姿勢において本設姿勢から姿勢変化させる量を、事前の予測変化量（予測スライド量ｔ、予測回転量α）に設定する場合を例に示したが、例えば、事前の予測変化量に更に安全率等を乗じて設定したり、複数事例における平均変化量に設定したりしてもよい。
【００４４】
（６）免震装置設置部は、前述の実施形態で示した柱の頭部１に限らず、柱の上下中間部や杭の頭部、免震ピットなどであってもよい。
【００４５】
（７）免震対象構造部も、前述の実施形態で示したトラス構造部２に限らず、ラーメン構造部などの免震装置１で免震化可能な各種の構造部であってもよい。
【符号の説明】
【００４６】
１                免震装置
２                免震装置設置部（柱頭部）
３                免震対象構造部（トラス構造部）
４                仮支持部
６                スライド許容部
７                回転許容部
ｔ                設定量（予測スライド量）
α                設定量（予測回転量）
【図１】
0006722444.tif 000002
【図２】
0006722444.tif 000003
【図３】
0006722444.tif 000004
【図４】
0006722444.tif 000005
【図５】
0006722444.tif 000006
【図６】
0006722444.tif 000007
【図７】
0006722444.tif 000008
【図８】
0006722444.tif 000009